(57)【特許請求の範囲】
【請求項１】
ミラーを付設した基体と、前記基体と別体であって、前記基体の外周部に沿って設けられる環状の枠体を備える車両用サンバイザであって、
前記枠体は、前記基体の外周部の表面及び裏面をそれぞれ覆う覆い枠部を有し、前記ミラーを遮蔽するミラー蓋体が、前記覆い枠部と前記基体外周部の片側面との間をガイドとして摺動可能に備えられた車両用サンバイザ。
【請求項２】
請求項１に記載した車両用サンバイザであって、
前記基体は、前記ミラーを保持するミラー保持部材と、前記ミラーを保護する保護部材により構成される車両用サンバイザ。
【請求項３】
基体と、前記基体と別体であって、前記基体の外周部に沿って設けられる環状の枠体を備える車両用サンバイザであって、
前記枠体は、前記基体の外周部の表面及び裏面をそれぞれ覆う覆い枠部を有し、前記基体は、ミラーを保持するミラー保持部材と、前記ミラーを遮蔽するミラー蓋体を保持する蓋体保持部材により構成され、
前記蓋体保持部材には、前記ミラーの鏡面を露出させるミラー開口窓が形成されると共に、前記ミラー蓋体を摺動可能に開閉案内するガイド部が一体状に設けられている車両用サンバイザ。
【発明の詳細な説明】
【０００１】
【発明の属する技術分野】
この発明は、車両用サンバイザの構成技術に関する。
【０００２】
【従来の技術】
スライド式のミラー蓋とミラーを有するサンバイザの一般的な構造は、サンバイザ本体に設けられた凹部に略箱形状のミラーアッシーが挿入され、このアッシーと本体とを表皮によって一体としていた。このミラーアッシーは、ミラー窓部を有する上基台と、ミラーを保持する下基台が爪により係合され、その上下の両ミラー基台間にミラーとミラー蓋が設置されて構成される。また、ミラー蓋は上下の両基台をガイドとして摺動できる。
【０００３】
【発明が解決しようとする課題】
しかし、この構造では上下の両ミラー基台を必要としたり、表皮を覆ってミラーアッシーと本体とを一体とする必要があるため、多くの部品が必要であったり、作業工数が多くなるという問題があった。
そこで、本発明ではミラー及びミラー蓋を付設するサンバイザの合理的な構造を提供することを課題とする。
【０００４】
【課題を解決するための手段】
前記した課題を解決するために、本発明は特許請求の範囲の各請求項に記載のとおりの構成を備えるものである。
請求項１に記載の発明によれば、ミラーを付設する基体と、基体とは別体であって、基体の外周部に沿って設けられる環状の枠体を備える。また枠体は、基体の外周部の表面及び裏面をそれぞれ覆う覆い枠部を有している。
また、ミラーを遮蔽するミラー蓋体を備える。ミラー蓋体は覆い枠部と基体外周部の片側面との間をガイドとして摺動可能、つまりスライド可能に備えられる。
【０００５】
本発明において、ミラー蓋体は枠体の覆い枠部と基体の片側面をガイドとして摺動する。つまり、ガイドはサンバイザの主要部を構成する枠体及び基体によって形成されるため、上下のミラー基台等の専用のガイド部材を設ける必要がない。そのため、簡便で合理的な構成のミラー蓋体及びミラーを有するサンバイザが構成される。
【０００６】
請求項２に記載の発明によれば、請求項１に記載した車両用のサンバイザであって、基体がミラーを保持するミラー保持部材とミラーを保護する保護部材により構成される。
基体がミラー保持部材と保護部材により構成されるため、ミラー、特にミラーの裏面を外力から保護するための構造を簡便に構成でき、しかも保護部材に装飾を施し外観美を高めることもできる。
【０００７】
請求項３に記載の発明によれば、基体と、基体とは別体であって基体の外周部に沿って設けられる環状の枠体を備える。また、枠体は基体の外周部の表面及び裏面をそれぞれ覆う覆い枠部を有する。
また、基体はミラーを保持するミラー保持部材と、ミラーを遮蔽するミラー蓋体を保持する蓋体保持部材により構成される。その蓋体保持部材には、ミラーの鏡面を露出させるミラー開口窓が形成されると共に、ミラー蓋体を摺動可能に開閉案内するガイド部が一体状に設けられる。
【０００８】
したがって、ミラー蓋体を開閉案内するガイド部が、サンバイザの主要部の基体を構成する蓋体保持部材と一体に形成されるため、上下のミラー基台等の専用のガイド部材を設ける必要がない。そのため、ミラー蓋体及びミラーを有する簡便で合理的な構成のサンバイザが構成される。
【０００９】
【発明の実施の形態】
以下、図面を参照しつつ本発明の実施の形態を説明する。図１，２はサンバイザ１の正面斜視図であり、図３は図２のIII−III線断面図である。
図１に示すように、サンバイザ１は本体１０と支軸６とサポート支軸７を備える。また、図３に示すように本体１０は、ミラー４を付設したミラー保持部材２と、板状の保護部材８と、ミラー保持部材２及び保護部材８の外周部にそって環状に設けられた枠体３と、板状のミラー蓋体５を備える。なお、図３はサンバイザ１の構造をわかりやすくするため、破断面のみを図示し他の部分を省略した。
【００１０】
ミラー保持部材２は略長方形板状の樹脂成形品であり開口部２６を有する。ミラー保持部材２の裏面には、その開口部２６の外周においてミラー４を保持するための断面略Ｌ字状のミラー取付片２２が設けられている。ミラー取付片２２はミラー保持部材２の裏面に立設し、開口部２６の外周の全周もしくは外周に沿って点在する。また、ミラー取付片２２はミラー保持部材２の裏面にミラー４の板厚に相当する分だけ突出する突出部２５と、突出部２５の先端から開口部２６の中心に向けて突設された爪部２３により構成される。
【００１１】
さらにミラー保持部材２には保護部材８に対向する面において、間隔保持用の凸部２１が保護部材８に向けて設けられており、これによって、ミラー保持部材２と保護部材８との間隔が所要とする間隔に保たれるようになっている。また凸部２１は、ミラー４の外周と平行の周の全周もしくはその周に沿って点在する。なお、略長方形板状の樹脂材より形成された保護部材８とミラー保持部材２は、本発明における「基体」に該当する。
【００１２】
ミラー４は長方形板状で、片面に鏡面４０を有する。ミラー４の外周部がミラー保持部材２のミラー取付片２２に装着され、鏡面４０と反対側の裏面がミラー取付片２２の爪部２３によって係止される。
なお、ミラー４をミラー保持部材２へ装着するように、ミラー取付片２２はミラー４の装着許容状態まで弾性変形するようになっている。
【００１３】
ミラー蓋体５は、ミラー保持部材２もしくは保護部材８の長手方向がほぼ半分の長さである略長方形板状の樹脂成形品である。ミラー蓋体５の外周部５１、つまり図３に示すミラー蓋体５の上下両端には、ミラー保持部材２に対向する面上に凸部５０が突出する。この凸部５０はミラー蓋体５の外周の全周もしくは外周に沿って点在する。またミラー蓋体５は、図１に示すように凸部５０を有する面と反対の面において、厚み方向に厚みを有する取っ手５２を備える。
【００１４】
枠体３は、基体（ミラー保持部材２及び保護部材８）の外周端縁を覆う枠体基部３２，３３と、その枠体基部３２，３３より張り出されて基体の外周面を覆う覆い枠部３４，３５とを備えて断面略コの字状に形成されている。そして、枠体３には、内周に開口する保持溝６０が形成される。また、保持溝６０には溝深さが浅くなるように段差状に設けられた案内部６１が形成されている。
枠体３は、その枠体基部３２，３３において厚さ方向に対して２分割された、いわゆる半割れ体の第一枠体３０及び第二枠体３１により構成される。第一枠体３０及び第二枠体３１は、それぞれ内周側に沿って覆い枠部３４，３５を有し、第一枠体３０が案内部６１を有する。覆い枠部３４，３５の張出しには、支持凸部３６，３７が対向状に形成される。また第一枠体３０と第二枠体３１は、第一枠体３０の枠体基部３２に設けられた凹部３９と、第二枠体３１の枠体基部３３に設けられた凸部３８が嵌合することにより接合されている。
【００１５】
また図１に示すように、枠体３は支軸６を挿入するための支軸取付孔６２と、サポート支軸７を挿入するためのサポート支軸取付孔６３が設けられ、第一枠体３０及び第二枠体３１には、支軸取付孔６２とサポート支軸取付孔６３を構成する半割れの孔、つまり孔の長手方向の軸に平行な面で分割された二分割孔がそれぞれ設けられている。
【００１６】
次に、サンバイザ１の本体１０の組付け方法を説明する。
ミラー４をミラー保持部材２の爪部２３に押し当て、ミラー取付片２２を弾性変形させてミラー４をミラー取付片２２に装着する。
次に図４に示すように、第一枠体３０と第二枠体３１の間にミラー蓋体５、ミラー４を保持したミラー保持部材２、保護部材８の順に設置し、第一枠体３０の凹部３９と第二枠体３１の凸部３８とを勘合させて第一枠体と第二枠体とを接合する。その結果、第一枠体３０、第二枠体３１、ミラー蓋体５、ミラー保持部材２、及び保護部材８が一体的に組み付けられる。
【００１７】
したがって、基体を構成するミラー保持部材２と保護部材８は枠体３の保持溝６０に設置され、ミラー保持部材２の外周部２０及び保護部材８の外周部８０が、枠体３の覆い枠部３４，３５により覆われ、外側より見えない位置になる。
また、ミラー保持部材２の外縁部及び保護部材８の外縁部は、保持溝６０によって保持される。さらに、ミラー保持部材２は案内部６１及び保護部材８により挟まれて厚み方向の動きが制限され、保護部材８は覆い枠部３５に形成された支持凸部３７とミラー保持部材２の凸部２１により厚み方向の動きが制限される。
【００１８】
ミラー蓋体５の外縁部（図３に示すミラー蓋体５の上下両端部）は、保持溝６０内に段差状に設けられた案内部６１によって保持され、ミラー蓋体５は覆い枠部３４に形成された支持凸部３６とミラー保持部材２の片側面との間に設置されて厚み方向の動きが制限される。
なお、ミラー保持部材２の表面と覆い枠部３４に形成された支持凸部３６との間隔は、案内部６１によりミラー蓋体５の厚みに対して広い状態に保持される。
【００１９】
次に、ミラー蓋体５の摺動作用（スライド作用）を説明する。
覆い枠部３４とミラー保持部材２の外周部２０の片側面とに挟まれる場所は、図１に示すようにガイド７０，７１，７２，７３，７４である。ミラー蓋体５が矢印Ｘ方向に設置されている場合のミラー蓋体５の外周部５１は、ガイド７０，７３，７４に設置される。また、図２に示すミラー蓋体５が矢印Ｙ方向に設置されている場合のミラー蓋体５の外周部５１は、ガイド７０，７１，７２，７３に設置される。また、図１及び図２への移動途中でのミラー蓋体５の外周部５１は、ガイド７０，７３内を移動する。
したがって、ミラー蓋体５の外周部５１はガイド７０，７１，７２，７３，７４をガイドとしてスライド可能であり、ミラー蓋体５がミラー４の鏡面４１を遮蔽することができる。
【００２０】
ガイド７０，７１，７２，７３，７４は、サンバイザ１の本体１０の主体を構成する枠体３及びミラー保持部材２により構成される。そのため、新たにガイドを形成するための部材を設ける必要が無く、簡便な構造によってミラー蓋体５のガイドを形成することができる。また、枠体３の第一枠体３０及び第二枠体３１により、各構成部品が一体的に接続される簡便な構造である。
なお、ミラー蓋体５は図３に示すように、ミラー蓋体５の凸部５０とミラー保持部材２との接触、及び枠体３の支持凸部３６とミラー蓋体５との接触により、厚み方向が支持される。そのため、ミラー蓋体５の厚み方向の支持に要する接触面積は小さくなり、摩擦が小さくなることからミラー蓋体５をスムーズに動かすことができる。
【００２１】
なお、上記実施の形態では枠体３が基体の外周部の全周を覆っているが、この形態に限定されず、枠体３が覆わない基体の外周部を一部有している形態であっても構わない。
また、上記実施の形態では、枠体３の覆い枠部３４と基体外周部２０の片側面との間において、基体外周部２０の全周をミラー蓋体５のガイドとしているが、この形態に限定されず、基体外周部２０の一部をガイドとしない形態であっても構わない。
【００２２】
また、以下に示す態様があり得る。すなわち、「請求項１又は請求項２に記載の車両用サンバイザであって、枠体が厚み方向の半割れ体により形成され、基体及びミラー蓋体が前記枠体の半割れ体同士が組み付けられることによって枠体と一体になる車両用サンバイザ。」である。半割れ体の枠体を一体にすることにより、基体とミラー蓋体も同時に枠体と一体にされる構造である。そのため、これらの組付け及び構造が簡素化、容易化もしくは合理化されたミラー及びミラー蓋を付設する車両用サンバイザが構成される。
【００２３】
次に、この発明の他の実施の形態ついて説明する。
図７にはサンバイザ１の本体１０の斜視図を示し、図５は図７のV−V線断面図を示す。
図５に示すように、本体１０はミラー４を保持する板状のミラー保持部材２と、ミラー蓋体５を保持する蓋体保持部材９と、ミラー保持部材２及び蓋体保持部材９の外周部にそって環状に設けられた枠体３とを備える。
なお、ミラー保持部材２と蓋体保持部材９は、本発明における「基体」に該当する。また、図５はサンバイザ１の構造をわかりやすくするため、破断面のみを図示し他の部分を省略した図である。
【００２４】
ミラー保持部材２は略長方形板状の樹脂成形品であり、図５に示すように蓋体保持部材９に対向する面上にミラー４が接合されている。
図６は、ミラー保持部材２に対向する面側からの蓋体保持部材９の斜視図であり、図６に示すように、蓋体保持部材９は略長方形板状の樹脂成形品であり、開口部であるミラー開口窓９６を有する。また、蓋体保持部材９のミラー保持部材２に対向する面側には、ミラー開口窓９６の両縁部（図６に向かって上下両縁部）に沿って対向状に２列の平行なガイド部９２，９２が蓋体保持部材９と一体状に設けられている。
【００２５】
ガイド部９２，９２は、図５に示すように断面略Ｌ字状に形成され、蓋体保持部材９のミラー保持部材２に対向する面上にミラー蓋体５の板厚に相当する分だけ突出する突出部９５と、突出部９５の先端から他方のガイド部９２に向けて突設された爪部９３により構成される。
さらに、蓋体保持部材９はミラー保持部材２に対向する面上に間隔保持用の凸部９１が一体状に設けられ、この凸部９１によって、ミラー保持部材２と蓋体保持部材９との間隔が所要とする間隔に保たれるようになっている。また、図６に示すように、凸部９１はミラー蓋体５を挿入するための部分を避けて蓋体保持部材９の外周と平行の周に沿って設けられる。
【００２６】
ミラー蓋体５は、図６に示すように略長方形板状の樹脂成形品である。また、ミラー蓋体５はその外周の全周又は図６における上下辺に沿って、ミラー開口窓９６に対向する面上に図５に示すレール部５３を有する。また、図７に示すようにミラー蓋体５は、ミラー開口窓９６に対向する面上に突出する取っ手５２を備える。
【００２７】
枠体３は、基体（ミラー保持部材２及び蓋体保持部材９）の外周端縁を覆う枠体基部３２，３３と、その枠体基部３２，３３より張り出されて基体の外周面を覆う覆い枠部３４，３５とを備えて断面略コの字状に形成されている。そして、枠体３には、内周に開口する保持溝６０が形成される。
枠体３は、その枠体基部３２，３３において厚さ方向に対して２分割された、いわゆる半割れ体の第一枠体３０及び第二枠体３１により構成され、第一枠体３０及び第二枠体３１のそれぞれは内周側に沿って覆い枠部３４，３５を有する。覆い枠部３４，３５の張出しには、支持凸部３６，３７が対向状に形成される。また第一枠体３０と第二枠体３１は、第一枠体３０の枠体基部３２に設けられた凹部３９と、第二枠体３１の枠体基部３３に設けられた凸部３８が嵌合することにより接合されている。
【００２８】
また図７に示すように、枠体３は支軸６を挿入するための支軸取付孔６２と、サポート支軸７を挿入するためのサポート支軸取付孔６３が設けられ、第一枠体３０及び第二枠体３１には、支軸取付孔６２とサポート支軸取付孔６３を構成する半割れの孔、つまり孔の長手方向の軸に平行な面で分割された二分割孔がそれぞれ設けられている。
【００２９】
次に、サンバイザ１の本体１０の組付け方法を説明する。
先ず図６に示すように、蓋体保持部材９のガイド部９２にミラー蓋体５の上下縁をスライドさせてミラー蓋体５を蓋体保持部材９に設置する。また、ミラー保持部材２には図５に示すようにミラー４を接合する。
次に図５に示すように、第一枠体３０と第二枠体３１の間に蓋体保持部材９とミラー保持部材２とを設置し、第一枠体３０の凹部３９と第二枠体３１の凸部３８とを勘合させて第一枠体と第二枠体とを接合する。また、必要に応じて第一，第二の枠体３０，３１を溶接又は接着剤によって接合する。その結果、第一，第二の枠体３０，３１、ミラー保持部材２、及び蓋体保持部材９が一体的に組み付けられる。
【００３０】
基体を構成するミラー保持部材２と蓋体保持部材９は、枠体３の保持溝６０に設置され、ミラー保持部材２の外周部２０及び蓋体保持部材９の外周部９０が、枠体３の覆い枠部３４，３５により覆われ、外側より見えない位置になる。
また、ミラー保持部材２及び蓋体保持部材９は、その外周縁を保持溝６０によって保持されて図７における上下及び左右方向の動きが制限される。さらに、ミラー保持部材２は枠体３の覆い枠部３５と蓋体保持部材９の凸部９１により挟まれて厚み方向の動きが制限され、蓋体保持部材９は枠体３の覆い枠部３４とミラー保持部材２により挟まれて厚み方向の動きが制限される。
【００３１】
次に、ミラー蓋体５の摺動作用（スライド作用）を説明する。
ミラー蓋体５は、一対の端が２つのガイド部９２に沿って（案内されて）、ガイド部９２及び蓋体保持部材９の面上に接しながら図６及び図７における左右方向に移動する。
したがって、ガイド部９２がミラー蓋体５を開閉案内し、ミラー蓋体５によってミラー４の鏡面４１を遮蔽及び露出することができる。
【００３２】
ガイド部９２は、サンバイザ１の主体を構成する蓋体保持部材９に一体状に設けられるため、新たにガイドを形成するための部材を設ける必要が無く、簡便な構造によってミラー蓋体５のガイドを形成することができる。また、枠体３の第一枠体３０及び第二枠体３１により、各構成部品が一体的に接続される簡便な構造である。
なお、ミラー蓋体５は図５に示すように、ミラー蓋体５の凸部５０と蓋体保持部材９との接触、及びミラー蓋体５の面とガイド部９２の爪部９３との接触によって厚み方向が支持される。そのため、ミラー蓋体５の厚み方向の支持に要する接触面積は小さくなり、摩擦が小さくなることからミラー蓋体５をスムーズに動かすことができる。
【００３３】
また、図５，図７に示す上記実施の形態の枠体３に表皮材１１が被覆された形態であってもよい（図８参照）。以下にその表皮材１１を枠体３に被覆する方法について説明する。
先ず表皮材１１を準備する。表皮材１１は図７に示すように、シート状のものから帯状に裁断し、その端部を縫って縫い合わせるなどして形成した両端開口の袋状もしくは筒状である。また、表皮材１１は伸縮性の富む材料であって、その内周長さは枠体３の外周縁長さよりも短い。
【００３４】
次に、図７に示すように表皮材１１を引張って内周長さを広げ、枠体３の外周縁に表皮材１１を覆う。
次に、図７のV―V線断面図である図８に示すように第一枠体３０の支持凸部３６と蓋体保持部材９の間隙、及び第二枠体３１の支持凸部３７とミラー保持部材２の間隙に表皮材１１の差込用端末部１３をへら１４で差し込む。その結果、表皮材１１の中間部である被覆部１２が枠体３の外表面を覆う。
また、支軸６及びサポート支軸７を挿入するため、支軸取付孔６２及びサポート支軸取付孔６３の開口部近傍の表皮材１１に切れ込みを入れ、支軸６及びサポート支軸７を挿入する。
【００３５】
なお、枠体３の覆い枠部３４，３５がミラー保持部材２及び蓋体保持部材９の表面に対して厚さ方向に段部（段差）を形成するため、表皮材１１の差込用端末部１３を差し込みやすい。
一方、支持凸部３６，３７は、覆い枠部３４，３５から厚さ中心方向に先端を有する形状であるため、ミラー保持部材２と覆い枠部３５との間隙、及び蓋体保持部材９と覆い枠部３４との間隙が狭くなる。そのため、差込用端末部１３が抜けにくくなり、表皮材１１を安定的に設置できる。
【００３６】
【発明の効果】
本発明によると、ミラー蓋のガイドを設けるために必要な、例えばミラー基台等を設けることなく、ミラー及びミラー蓋を付設する合理的な構造のサンバイザが提供される。
【図面の簡単な説明】
【図１】サンバイザの正面斜視図であり、ミラー蓋体がミラーを開けた状態を示す図である。
【図２】サンバイザの正面斜視図であり、ミラー蓋体がミラーを閉じた状態を示す図である。
【図３】図２のIII―III線断面図であり、サンバイザの断面図である。
【図４】サンバイザの本体の組立図である。
【図５】他の実施の形態であって、図７のV―V線断面図である。
【図６】ミラー保持部材に対向する面側からの蓋体保持部材の斜視図である。
【図７】他の実施の形態であるサンバイザの本体の斜視図、及び表皮材の斜視図である。
【図８】図７のV―V線断面図であって、枠体に表皮材を被覆する方法を示した図である。
【符号の説明】
１…サンバイザ
２…ミラー保持部材
３…枠体
４…ミラー
５…ミラー蓋体
８…保護部材
９…蓋体保持部材
３４，３５…覆い枠部
９２…ガイド部
９６…ミラー開口窓
【図１】
0004435942.tif 000002
【図２】
0004435942.tif 000003
【図３】
0004435942.tif 000004
【図４】
0004435942.tif 000005
【図５】
0004435942.tif 000006
【図６】
0004435942.tif 000007
【図７】
0004435942.tif 000008
【図８】
0004435942.tif 000009